(57)【要約】【課題】  高天井などに対応可能なメンテンスフリー性を有し、さらに、コストを低減するとともに遠距離でも明るさの低下が少ない照明装置を提供する。【解決手段】  固体光源１２を有する励起光源部１１と、励起光源部１１とは空間的に離れた位置に設置され、励起光源部１１の固体光源１２から出射された励起光が空中伝送により入射するときに、入射した励起光に基づいて照明光を出射する受動発光部２１とを備え、受動発光部２１は、励起光を導光する導光部材２４と、励起光を導光部材２４に拡散させて入射させる拡散手段２５と、導光部材２４内を励起光が導光する過程で導光部材２４に設けられている反射手段によって励起光が導光部材２４の出光面２４ａから出射するとき、導光部材２４の出光面２４ａから出射される励起光により励起され蛍光を発光する少なくとも１種類の蛍光体を含む蛍光体層２３とを有している。【選択図】      図２
2012182009.tif 000002
【特許請求の範囲】
【請求項１】
紫外光から可視光までの波長領域のうちの所定の波長の光を励起光として発光する固体光源を有する励起光源部と、該励起光源部とは空間的に離れた位置に設置され、該励起光源部の前記固体光源から出射された励起光が空中伝送により入射するときに、入射した励起光に基づいて照明光を出射する受動発光部とを備えた照明装置であって、前記受動発光部は、前記励起光を導光する導光部材と、前記励起光を前記導光部材に前記導光部材の面方向に拡散させて入射させる拡散手段と、前記導光部材内を励起光が導光する過程で該導光部材に設けられている反射手段によって励起光が該導光部材から出射するとき、該導光部材から出射される励起光により励起され該励起光の波長よりも長波長の蛍光を発光する少なくとも１種類の蛍光体を含む蛍光体層とを有していることを特徴とする照明装置。
【請求項２】
請求項１記載の照明装置において、前記導光部材に設けられている前記反射手段は、反射ドット、プリズム、凹凸、または、溝であることを特徴とする照明装置。
【請求項３】
請求項１または請求項２記載の照明装置において、前記受動発光部には、前記励起光源部からの励起光を前記導光部材に入射させるときに、前記励起光が前記導光部材内で全反射して導光するような角度で前記励起光を前記導光部材に入射させるための入射角度調整手段がさらに設けられていることを特徴とする照明装置。
【請求項４】
請求項１乃至請求項３のいずれか一項に記載の照明装置において、前記励起光源部の前記固体光源には、励起光としてコヒーレント光を出射するものが用いられていることを特徴とする照明装置。
【請求項５】
請求項１乃至請求項４のいずれか一項に記載の照明装置において、前記受動発光部は、発光面が鉛直下向きであることを特徴とする照明装置。
【発明の詳細な説明】
【技術分野】
【０００１】
本発明は、照明装置に関する。
【背景技術】
【０００２】
近年、ＬＥＤの高輝度化に伴って、従来の表示用途から照明用途に加速度的に応用展開が進んでいる。超寿命でメンテナンスフリー性に有利であることから、特にハイパワー品は電球や放電灯の代替として、実用製品が市場に浸透しつつある。
【０００３】
ＬＥＤやＬＤ（レーザダイオード）などの半導体発光素子は、点光源に近い照射特性を持ち光学設計が容易であることから、スクリーン投影用のプロジェクターや、車両用前照灯等の開発・実用化が進んでいる。
【０００４】
しかしながら、半導体発光素子は発熱量が多い割には熱に弱いデバイスであり、直流の電流駆動方式であるために点灯回路が別途必要である。このように、光源だけでなく周辺部材に技術コストとメンテナンス性を要するという短所を持っている。
【０００５】
放電灯の代替として期待されている応用製品の１つに高所照明がある。高所ではメンテナンスが大変であるため、高所での交換作業を回避するための灯具ユニットに関する提案がなされている。例えば特許文献１には、照明が必要な場所まで光源から導光する構成が示されている。
【０００６】
図１は特許文献１の照明装置を示す図である。図１を参照すると、特許文献１の照明装置は、構造物の下部等の安全な場所に設けた光源部１０１と、構造物の上部に設け、光源部１０１からの光を所定方向に向けて出射する出光部１０３と、光源部１０１から出光部１０３まで光を伝送する光伝送体１０２とを備えている。
【０００７】
特許文献１の照明装置によれば、照明装置の出光部分を使用目的に合わせて例えば高所や危険な鉄道用高圧線の近傍等の所望の場所に設置する場合であっても、光源部分のランプ等は安全な場所で交換することができる。
【先行技術文献】
【特許文献】
【０００８】
【特許文献１】特開平９−０３５５１７号公報
【発明の概要】
【発明が解決しようとする課題】
【０００９】
しかしながら、特許文献１の照明装置では、光源部１０１から出光部１０３まで光を伝送する光伝送体１０２を用いているので、光源部１０１から照射場所まで遠距離となる場合に、必要な導光部材のコストが嵩むという問題があった。さらに、特許文献１の照明装置では、光源部１０１から照射場所まで白色光を導光させるため、距離に比例して明るさが低下してしまうという問題があった。
【００１０】
本発明は、高天井などに対応可能なメンテンスフリー性を有し、さらに、コストを低減するとともに遠距離でも明るさの低下が少ない照明装置を提供することを目的としている。
【課題を解決するための手段】
【００１１】
上記目的を達成するために、請求項１記載の発明は、紫外光から可視光までの波長領域のうちの所定の波長の光を励起光として発光する固体光源を有する励起光源部と、該励起光源部とは空間的に離れた位置に設置され、該励起光源部の前記固体光源から出射された励起光が空中伝送により入射するときに、入射した励起光に基づいて照明光を出射する受動発光部とを備えた照明装置であって、前記受動発光部は、前記励起光を導光する導光部材と、前記励起光を前記導光部材に前記導光部材の面方向に拡散させて入射させる拡散手段と、前記導光部材内を励起光が導光する過程で該導光部材に設けられている反射手段によって励起光が該導光部材から出射するとき、該導光部材から出射される励起光により励起され該励起光の波長よりも長波長の蛍光を発光する少なくとも１種類の蛍光体を含む蛍光体層とを有していることを特徴としている。
【００１２】
また、請求項２記載の発明は、請求項１記載の照明装置において、前記導光部材に設けられている前記反射手段は、反射ドット、プリズム、凹凸、または、溝であることを特徴としている。
【００１３】
また、請求項３記載の発明は、請求項１または請求項２記載の照明装置において、前記受動発光部には、前記励起光源部からの励起光を前記導光部材に入射させるときに、前記励起光が前記導光部材内で全反射して導光するような角度で前記励起光を前記導光部材に入射させるための入射角度調整手段がさらに設けられていることを特徴としている。
【００１４】
また、請求項４記載の発明は、請求項１乃至請求項３のいずれか一項に記載の照明装置において、前記励起光源部の前記固体光源には、励起光としてコヒーレント光を出射するものが用いられていることを特徴としている。
【００１５】
また、請求項５記載の発明は、請求項１乃至請求項４のいずれか一項に記載の照明装置において、前記受動発光部は、発光面が鉛直下向きであることを特徴としている。
【発明の効果】
【００１６】
請求項１乃至請求項５記載の発明によれば、紫外光から可視光までの波長領域のうちの所定の波長の光を励起光として発光する固体光源を有する励起光源部と、該励起光源部とは空間的に離れた位置に設置され、該励起光源部の前記固体光源から出射された励起光が空中伝送により入射するときに、入射した励起光に基づいて照明光を出射する受動発光部とを備えた照明装置であって、前記受動発光部は、前記励起光を導光する導光部材と、前記励起光を前記導光部材に前記導光部材の面方向に拡散させて入射させる拡散手段と、前記導光部材内を励起光が導光する過程で該導光部材に設けられている反射手段によって励起光が該導光部材から出射するとき、該導光部材から出射される励起光により励起され該励起光の波長よりも長波長の蛍光を発光する少なくとも１種類の蛍光体を含む蛍光体層とを有しているので、高天井などに対応可能なメンテンスフリー性を有し、さらに、コストを低減するとともに遠距離でも明るさの低下が少ない照明装置を提供することができる。
【００１７】
特に、請求項３記載の発明によれば、請求項１または請求項２記載の照明装置において、前記受動発光部には、前記励起光源部からの励起光を前記導光部材に入射させるときに、前記励起光が前記導光部材内で全反射して導光するような角度で前記励起光を前記導光部材に入射させるための入射角度調整手段がさらに設けられているので、励起光源部からの励起光が導光部材内で全反射して導光するような角度で前記励起光を導光部材に入射させることができる。
【００１８】
また、請求項４記載の発明によれば、前記励起光源部の前記固体光源には、励起光としてコヒーレント光を出射するものが用いられているので（すなわち、コヒーレント光を用いた空中伝送を併用するので）、必要最小限の部材構成で済む上に、明るさの低下が少ない照明装置を提供することができる。
【００１９】
また、請求項５記載の発明によれば、前記受動発光部は、発光面が鉛直下向きであるので、埃が付着しにくく、メンテナンスフリーな照明装置を提供することができる。
【図面の簡単な説明】
【００２０】
【図１】従来の照明装置を示す図である。
【図２】本発明の照明装置の一構成例を示す図である。
【図３】図２のＡ−Ａ線における断面図である。
【図４】図２、図３の例における導光部材の励起光入光面の部分拡大斜視図である。
【図５】入射角度調整手段の一例を示す図である。
【図６】入射角度調整手段の他の例を示す図である。
【図７】拡散手段としての凹レンズと入射角度調整手段としてのレンズカット（屈折のレンズカット）とが組み合わされて形成された導光部材の励起光入光面の部分拡大斜視図である。
【発明を実施するための最良の形態】
【００２１】
以下、本発明の実施形態を図面に基づいて説明する。
【００２２】
図２は本発明の照明装置の一構成例を示す図（断面図）、図３は図２のＡ−Ａ線における断面図である。図２を参照すると、この照明装置１は、紫外光から可視光までの波長領域のうちの所定の波長の光を励起光として発光する固体光源１２を有する励起光源部１１と、該励起光源部１１とは空間的に離れた位置に設置され、該励起光源部１１の前記固体光源１２から出射された励起光が空中伝送により入射するときに、入射した励起光に基づいて照明光を出射する受動発光部２１とを備えている。
【００２３】
また、図２、図３を参照すると、受動発光部２１は、該受動発光部２１を支える支柱２２と、前記励起光を導光する導光部材２４と、前記励起光を前記導光部材２４に前記導光部材２４の面方向（図３のＸＹ平面内の各方向）に拡散させて入射させる拡散手段２５と、前記導光部材２４内を励起光が導光する過程で該導光部材２４に設けられている反射手段によって励起光が該導光部材２４の出光面２４ａから出射するとき、該導光部材２４の出光面２４ａから出射される励起光により励起され該励起光の波長よりも長波長の蛍光を発光する少なくとも１種類の蛍光体を含む蛍光体層２３とを有している。
【００２４】
ここで、励起光源部１１の固体光源１２には、紫外光から可視光領域に発光波長をもつ発光ダイオードや半導体レーザーなどの半導体発光素子を用いることができるが、受動発光部２１の導光部材２４の励起光入光面２８への集光性の観点から、励起光としてコヒーレント光を出射するもの（すなわち半導体レーザーなどの半導体発光素子）が用いられるのが好ましい。
【００２５】
より具体的に、固体光源１２には、例えば、ＩｎＧａＮ系の材料を用いた発光波長が約３８０ｎｍ乃至約４００ｎｍの近紫外光を発光する発光ダイオードや半導体レーザーなどを用いることができる。あるいは、固体光源１２には、例えば、ＧａＮ系の材料を用いた発光波長が約４６０ｎｍ程度の青色光を発光する発光ダイオードや半導体レーザーなどを用いることができる。
【００２６】
また、励起光源部１１と受動発光部２１との距離は特に定めないが、励起光源部１１の固体光源１２からの光はコリメートして使用するのが望ましい（すなわち、固体光源１２からの光をコリメートする（光の形状を整形したりする）コリメートレンズなどが用いられるのが好ましい）。
【００２７】
また、固体光源１２および／または励起光源部１１は、必要に応じて複数用いることもできる。すなわち、例えば、１つの励起光源部１１に複数の固体光源１２を内蔵させても良いし、あるいは、１つの固体光源１２を内蔵する励起光源部１１を複数用いて、１つの受動発光部２１に照射しても良いし、あるいは、これらの複合形態でも良い。
【００２８】
また、励起光源部１１には、固体光源１２の他に、固体光源１２を駆動する駆動回路や、ＡＰＣ回路（出力自動制御回路）等の出力安定機構や、種々の部品、部材が設けられている。
【００２９】
また、励起光源部１１の設置高さについては、安全性の観点から、地上または床から２ｍ以上の位置（人間の背の高さよりも高い位置）であるのが好ましい。すなわち、地上または床から２ｍ以上の位置（人間の背の高さよりも高い位置）から、さらに高い位置に設置された受動発光部２１に向けて照射することで、人体への励起光の被曝の危険を回避することができる。
【００３０】
また、受動発光部２１において、支柱２２は、例えば天井（図示せず）などに取り付けられ、前述したように受動発光部２１を支える機能を有している。支柱２２には、透明な樹脂、ガラス、セラミックなど、種々のものを用いることができるが、重量や耐久性・取り扱い性を考慮すると、透明なアクリル樹脂や透明なポリカーボネート樹脂などを用いるのが好適である。また、支柱２２の断面形状は、円形、四角形、六角形などにすることができる。具体的に、支柱２２には、例えば全長が５０ｃｍ、直径が２０ｍｍの円柱を用いることができる。
【００３１】
また、受動発光部２１において、導光部材（例えば導光板や導光拡散板）２４には、液晶バックライトで一般的に用いられているような、印刷ドット（反射ドット）方式や溝加工方式・凹凸成型方式など、種々のものを用いることができる。すなわち、導光部材２４の本体には、透明なアクリル樹脂や透明なポリカーボネート樹脂などが用いられ、導光部材２４は、約３ｍｍ〜５ｍｍ程度の範囲の厚さのものとなっている。また、導光部材２４の平面形状（ＸＹ平面形状）は、図３の例では円形のものになっているが（具体的には直径が５０ｃｍの円形のものになっているが）、円形のものに限らず、楕円形、三角形、四角形（長方形も含む）、ｎ角形（ｎ≧３）などの任意所望の形状のものにすることができる。
【００３２】
そして、図２には図示していないが、導光部材２４の出光面２４ａとは反対側の面２４ｂには、印刷ドット（反射ドット）方式の場合には、反射ドット（例えば白色の印刷ドット）が形成されている。ここで、反射ドットは、そのドット径が約０．５ｍｍ〜１．５ｍｍ程度の範囲のものであり、その間隔（ピッチ）は約１ｍｍ〜２ｍｍ程度の範囲のものとなっている。すなわち、前記導光部材２４に設けられている反射手段は、導光部材２４の方式に応じて（すなわち、印刷ドット（反射ドット）方式や溝加工方式・凹凸成型方式などに応じて）、反射ドット、プリズム、凹凸、または、溝などである。なお、以下では、説明の便宜上、導光部材２４が印刷ドット（反射ドット）方式のものであるとする。
【００３３】
また、励起光源部１１からの励起光を導光部材２４に導光部材２４の面方向（図３のＸＹ平面内の各方向）に拡散させて入射させる拡散手段２５としては、例えば、図３に示すように導光部材２４の励起光入光面２８に凹レンズ２５を形成することによって、これを実現できる。図４には、図２、図３の例における導光部材２４の励起光入光面２８の部分拡大斜視図が示されている(なお、図４では、後述の反射部材２９の図示を省略している)。すなわち、図４のＢ−Ｂ線における断面図が図２における導光部材２４の励起光入光面２８の図（断面図）となっている。
【００３４】
また、導光部材２４に励起光源部１１からの励起光を直接入射させようとする場合、励起光源部１１からの励起光は、一般には、導光部材２４内を全反射する条件を満たす角度では導光部材２４に入射しない。従って、導光部材２４内を全反射する条件を満たす角度で、励起光源部１１からの励起光を導光部材２４に入射させるため、受動発光部２１には、励起光源部１１からの励起光を導光部材２４に入射させるときに、励起光が導光部材２４内で全反射して導光するような角度で励起光を導光部材２４に入射させるための入射角度調整手段がさらに設けられているのが好ましい。このような入射角度調整手段としては、ミラーを用いることができる。すなわち、図２乃至図４の構成において、図５に示すようにミラー２６を設け、励起光源部１１からの励起光をミラー２６で所定角度に反射することによって、励起光が導光部材２４内で全反射して導光するような角度θで前記励起光を導光部材２４の励起光入光面２８に入射させることができる。
【００３５】
ただし、図５の構成では、ミラー２６を設ける必要があり、部品点数が多くなる。従って、励起光が導光部材２４内で全反射して導光するような角度で励起光を導光部材２４に入射させるための入射角度調整手段としては、よりコンパクトなものであるのが好ましい。このような入射角度調整手段として、図６に示すように、図２の構成において導光部材２４の励起光入光面２８にレンズカット（屈折のレンズカット）２７を形成することができる。より詳細に、図７には、拡散手段２５としての凹レンズ２５と入射角度調整手段としてのレンズカット（屈折のレンズカット）２７とが組み合わされて形成された導光部材２４の励起光入光面２８の部分拡大斜視図が示されている(なお、図７では、後述の反射部材２９の図示を省略している)。すなわち、図７のＢ−Ｂ線における断面図が図６における導光部材２４の励起光入光面２８の図（断面図）となっている。図６、図７の構成では、励起光源部１１からの励起光を入射角度調整手段としてのレンズカット（屈折のレンズカット）２７によって、励起光が導光部材２４内で全反射して導光するような角度θにし、かつ、拡散手段２５としての凹レンズ２５によって、励起光源部１１からの励起光を導光部材２４に導光部材２４の面方向（図７のＸＹ平面内の各方向）に拡散させて入射させることができる。
【００３６】
また、受動発光部２１において、蛍光体層２３は、導光部材２４の出光面２４ａから出射した励起光により励起され固体光源１２の発光波長よりも長波長の蛍光を発光する少なくとも１種類の蛍光体を含んでいる。具体的には、固体光源１２が紫外光を発光するものである場合、蛍光体層２３が、例えば、青、緑、赤色の蛍光体を含んでいるときには（青、緑、赤色の蛍光体のそれぞれが例えば均一に分散されて混合されたものとなっているときには）、導光部材２４の出光面２４ａから出射した励起光が蛍光体層２３を照射するとき、蛍光体層２３からは白色の照明光（擬似白色光）が放出される。また、固体光源１２が可視光として青色光を発光するものである場合、蛍光体層２３が、例えば、緑、赤、黄色などの蛍光体のうち、少なくとも１種類の蛍光体を含んでいるときには（例えば、緑、赤色の蛍光体を含んでいるときには（緑、赤色の蛍光体のそれぞれが例えば均一に分散されて混合されたものとなっているときには））、導光部材２４の出光面２４ａから出射した励起光（青色光）が蛍光体層２３を照射するとき、蛍光体層２３からは白色の照明光（擬似白色光）が放出される。また、固体光源１２が可視光として青色光を発光するものである場合、蛍光体層２３が、例えば、黄色の蛍光体だけを含んでいるときには、導光部材２４の出光面２４ａから出射した励起光（青色光）が蛍光体層２３を照射するとき、蛍光体層２３からは、蛍光体層２３で発光した蛍光（黄色光）と励起光（青色光）とをあわせて（蛍光（黄色光）と励起光（青色光）との混合光として）、白色の照明光（擬似白色光）が放出される。
【００３７】
ここで、具体的に、蛍光体層２３の蛍光体としては、波長が約３８０ｎｍ乃至約４００ｎｍの紫外光により励起されるものとして（固体光源１２に、例えば、ＩｎＧａＮ系の材料を用いた発光波長が約３８０ｎｍ乃至約４００ｎｍの近紫外光を発光する発光ダイオードや半導体レーザーなどを用いる場合）、例えば、赤色蛍光体には、ＣａＡｌＳｉＮ３：Ｅｕ２＋、（Ｃａ，Ｓｒ）ＡｌＳｉＮ３：Ｅｕ２＋、Ｃａ２Ｓｉ５Ｎ８：Ｅｕ２＋、（Ｃａ，Ｓｒ）２Ｓｉ５Ｎ８：Ｅｕ２＋、ＫＳｉＦ６：Ｍｎ４＋、ＫＴｉＦ６：Ｍｎ４＋等を用いることができ、黄色蛍光体には、（Ｓｒ，Ｂａ）２ＳｉＯ４：Ｅｕ２＋、Ｃａｘ（Ｓｉ，Ａｌ）１２（Ｏ，Ｎ）１６：Ｅｕ２＋等を用いることができ、緑色蛍光体には、（Ｂａ，Ｓｒ）２ＳｉＯ４：Ｅｕ２＋、Ｂａ３Ｓｉ６Ｏ１２Ｎ２：Ｅｕ２＋、（Ｓｉ，Ａｌ）６（Ｏ，Ｎ）８：Ｅｕ２＋、ＢａＭｇＡｌ１０Ｏ１７：Ｅｕ２＋，Ｍｎ２＋等を用いることができ、青色蛍光体には、ＢａＭｇＡｌ１０Ｏ１７：Ｅｕ２＋等を用いることができる。また、波長が約４４０ｎｍ乃至約４７０ｎｍの青色光により励起されるものとして（固体光源１２に、例えば、ＧａＮ系の材料を用いた発光波長が約４６０ｎｍ程度の青色光を発光する発光ダイオードや半導体レーザーなどを用いる場合）、例えば、赤色蛍光体には、ＣａＡｌＳｉＮ３：Ｅｕ２＋、（Ｃａ，Ｓｒ）ＡｌＳｉＮ３：Ｅｕ２＋、Ｃａ２Ｓｉ５Ｎ８：Ｅｕ２＋、（Ｃａ，Ｓｒ）２Ｓｉ５Ｎ８：Ｅｕ２＋、ＫＳｉＦ６：Ｍｎ４＋、ＫＴｉＦ６：Ｍｎ４＋等を用いることができ、黄色蛍光体には、Ｙ３Ａｌ５Ｏ１２：Ｃｅ３＋、（Ｓｒ，Ｂａ）２ＳｉＯ４：Ｅｕ２＋、Ｃａｘ（Ｓｉ，Ａｌ）１２（Ｏ，Ｎ）１６：Ｅｕ２＋等を用いることができ、緑色蛍光体には、Ｌｕ３Ａｌ５Ｏ１２：Ｃｅ３＋、（Ｌｕ，Ｙ）３Ａｌ５Ｏ１２：Ｃｅ３＋、Ｙ３（Ｇａ，Ａｌ）５Ｏ１２：Ｃｅ３＋、Ｃａ３Ｓｃ２Ｓｉ３Ｏ１２：Ｃｅ３＋、ＣａＳｃ２Ｏ４：Ｅｕ２＋、（Ｂａ，Ｓｒ）２ＳｉＯ４：Ｅｕ２＋、Ｂａ３Ｓｉ６Ｏ１２Ｎ２：Ｅｕ２＋、（Ｓｉ，Ａｌ）６（Ｏ，Ｎ）８：Ｅｕ２＋等を用いることができる。
【００３８】
なお、蛍光体には有機物、無機物、有機無機複合体があるが、信頼性に優れる無機物の蛍光体を使用することが望ましい。蛍光体層２３は、樹脂やガラスなどのマトリックス中に蛍光体を分散させる方法や、無機物のみからなる樹脂成分を実質的に含まない方法などで、形成することが出来る。また、高輝度化を実現するためには、蛍光体層２３には、樹脂成分を実質的に含まない蛍光体層が用いられるのが好ましい。ここで、樹脂成分を実質的に含まない蛍光体層とは、蛍光体層の形成に通常使用される樹脂成分が蛍光体層の５ｗｔ％以下であるものを意味する。このような蛍光体層を実現するものとして、蛍光体粉末をガラス中に分散させたもの、ガラス母体に発光中心イオンを添加したガラス蛍光体、蛍光体の単結晶や蛍光体の多結晶体（以下、蛍光体セラミックスという）などが挙げられる。なお、蛍光体セラミックスには、蛍光体とそれとは異なる組成のセラミックスからなる多結晶体も含まれる。蛍光体セラミックスは、蛍光体の製造過程において、焼成前に材料を任意の形状に成形し、焼成した蛍光体の塊である。蛍光体セラミックスは、その製造工程のうち、成形工程においてバインダーとして有機物を使用する場合があるが、成形後に脱脂工程を設け有機成分を焼き飛ばすため、焼成後の蛍光体セラミックスには有機樹脂成分は５ｗｔ％以下しか残留しない。したがって、樹脂成分を実質的に含まない蛍光体層は、そのほとんどが無機物質のみから構成されているため、熱による変色が発生することがない。また、無機物質のみからなるガラスやセラミックスは、一般に樹脂よりも熱伝導率が高いため、蛍光体層から基板への熱放散においても有利である。特に蛍光体セラミックスは、一般的に、ガラスよりもさらに熱伝導率が高く、単結晶より製造コストが安いため好適である。
【００３９】
上記のように、蛍光体層２３としては、上述の蛍光体粉末をガラス中に分散させたものや、ガラス母体に発光中心イオンを添加したガラス蛍光体、樹脂などの結合部材を含まない蛍光体セラミックス等を用いることができる。蛍光体粉末をガラス中に分散させたものの具体例としては、上に列挙した組成の蛍光体粉末をＰ２Ｏ３、ＳｉＯ２、Ｂ２Ｏ３、Ａｌ２Ｏ３などの成分を含むガラス中に分散したものが挙げられる。ガラス母体に発光中心イオンを添加したガラス蛍光体としては、Ｃｅ３＋やＥｕ２＋を付活剤として添加したＣａ−Ｓｉ−Ａｌ−Ｏ−Ｎ系やＹ−Ｓｉ−Ａｌ−Ｏ−Ｎ系などの酸窒化物系ガラス蛍光体が挙げられる。蛍光体セラミックスとしては、上に列挙した組成の蛍光体組成からなり、樹脂成分を実質的に含まない焼結体が挙げられる。これらの中でも透光性を有する蛍光体セラミックスを使用することが望ましい。これは、焼結体中に光の散乱の原因となるポアや粒界の不純物がほとんど存在しないために透光性を有するに至った蛍光体セラミックスである。ポアや不純物は熱拡散を妨げる原因にもなるため、透光性セラミックスは高い熱伝導率を示す。このため蛍光体層として利用した場合には励起光や蛍光を拡散により失うことなく蛍光体層から取り出して利用でき、さらに蛍光体層で発生した熱を効率良く放散することができる。透光性を示さない焼結体でも出来るだけポアや不純物の少ないものが望ましい。ポアの残存量を評価する指標としては蛍光体セラミックスの比重の値を用いることができ、その値が計算される理論値に対して９５％以上のものが望ましい。
【００４０】
ここで、青色励起の黄色発光蛍光体であるＹ３Ａｌ５Ｏ１２：Ｃｅ３＋蛍光体を例に、透光性を有する蛍光体セラミックスの製造方法を説明する。蛍光体セラミックスは出発原料の混合工程、成形工程、焼成工程、加工工程を経て製造される。出発原料には、酸化イットリウムや酸化セリウムやアルミナ等、Ｙ３Ａｌ５Ｏ１２：Ｃｅ３＋蛍光体の構成元素の酸化物や、焼成後に酸化物となる炭酸塩、硝酸塩、硫酸塩等を用いる。出発原料の粒径はサブミクロンサイズのものが望ましい。これらの原料を化学量論比となるように秤量する。このとき焼成後のセラミックスの透過率向上を目的として、カルシウムやシリコンなどの化合物を添加することも可能である。秤量した原料は、水もしくは有機溶剤を用い、湿式ボールミルにより十分に分散、混合を行う。次に混合物を所定の形状に成形する。成形方法としては、一軸加圧法、冷間静水圧法、スリップキャスティング法や射出成形法等を用いることができる。得られた成形体を１６００〜１８００℃で焼成する。これにより、透光性のＹ３Ａｌ５Ｏ１２：Ｃｅ３＋蛍光体セラミックスを得ることができる。
【００４１】
このように、蛍光体層２３には蛍光体セラミックスなどを用いることができ、その平面形状（ＸＹ平面形状）は、例えば導光部材２４の平面形状（ＸＹ平面形状）に合わせて、円形、楕円形、三角形、四角形（長方形も含む）、ｎ角形（ｎ≧３）などの任意所望の形状のものにすることができる。具体的に、蛍光体層２３には、例えば、直径が５０ｃｍ、厚さが２．５ｍｍ程度の円板状のものを用いることができる。
【００４２】
また、上述の各例（例えば、図２、図５、図６の例）では、導光部材２４および蛍光体層２３の外周部には、導光部材２４の励起光入光面２８を除いて、導光部材２４および蛍光体層２３の外周部から光が漏れるのを防止するための反射部材２９が設けられている。また、図２の例では、反射部材２９は、導光部材２４の出光面２４ａからの励起光の出射効率、蛍光体層２３の出光面２３ａからの照明光（例えば擬似白色光）の出射効率をより高めるため、導光部材２４の出光面２４ａとは反対側の面２４ｂにも設けられている。
【００４３】
また、上述の各例（例えば、図２、図５、図６の例）では、蛍光体層２３の出光面２３ａ側には、ハーフミラーまたはルーバー３０が設けられている。ここで、ハーフミラーまたはルーバー３０は、非点灯時（消灯時）に蛍光体層２３の色（例えば黄色）が見えてしまうのを隠すためで、本発明の機能上は特に必要はない。なお、ハーフミラーまたはルーバー３０には、具体的には、例えば、直径が５０ｃｍ、厚さが０．５ｍｍ程度の円板状のものを用いることができる。
【００４４】
このような構成の照明装置では、受動発光部２１を高天井などに設置し、励起光源部１１を所定位置（できれば、安全性の観点から、地上または床から２ｍ以上の位置（人間の背の高さよりも高い位置））に設置する。しかる後、励起光源部１１の固体光源１２を点灯させると、固体光源１２からの励起光は、図５の構成ではミラー２６で反射されて、導光部材２４内で全反射して導光するような角度θで導光部材２４の励起光入光面２８に入射し、また、図６、図７の構成では、励起光源部１１からの励起光を導光部材２４の励起光入光面２８に直接入射させ、導光部材２４の励起光入光面２８において入射角度調整手段としてのレンズカット（屈折のレンズカット）２７によって励起光が導光部材２４内で全反射して導光するような角度θに調整する。このようにして、励起光は、導光部材２４内で全反射して導光するような角度θに調整されるとともに、導光部材２４の励起光入光面２８において拡散手段２５としての凹レンズ２５によって導光部材２４の面方向（図７のＸＹ平面内の各方向）に拡散されて導光部材２４内を導光する。
【００４５】
導光部材２４内を導光する過程で、励起光は、導光部材２４の出光面２４ａとは反対側の面２４ｂに形成されている反射手段（例えば、印刷ドット（反射ドット）方式の場合には、反射ドット（例えば白色の印刷ドット）によって反射されて、導光部材２４の出光面２４ａから出射し、蛍光体層２３を照射する。このようにして導光部材２４の出光面２４ａから出射した励起光（例えば青色光）が蛍光体層（例えば黄色蛍光体層）２３を照射するとき、蛍光体層２３の出光面２３ａからは、蛍光体層２３で発光した蛍光（黄色光）と励起光（青色光）とをあわせて（蛍光（黄色光）と励起光（青色光）との混合光として）、白色の照明光（擬似白色光）が外部に（例えば床面に向けて）放出される。このようにして、受動発光部２１からは、例えば白色の照明光が例えば床面に向けて放出される。
【００４６】
ところで、本発明では、受動発光部２１を高天井などに設置しても、励起光源部１１については高い位置に設置する必要がなく、従って、励起光源部１１が故障し、励起光源部１１の固体光源１２、駆動回路、ＡＰＣ回路、部品などを交換等するときに、これを容易に行うことができる。すなわち、高天井などに対応可能なメンテンスフリー性を有している。さらに、励起光源部１１と受動発光部２１との間には、光を伝送するための光伝送体などを設ける必要がないので、コストを低減することができる。さらに、励起光源部１１の固体光源１２に、励起光としてコヒーレント光を出射するものが用いられるときには、励起光源部１１と受動発光部２１との距離が遠距離となっても、受動発光部２１に励起光を拡散させずに入光させることができ、明るさの低下が少ない照明装置を提供できる。
【００４７】
また、上述の各例（例えば、図２、図５、図６の例）では、受動発光部２１は、発光面（すなわち、ハーフミラーまたはルーバー３０、蛍光体層２３の出光面２３ａ）が鉛直下向きＺとなっている。すなわち、例えば床面に面している。このように、受動発光部２１の発光面を鉛直下向きＺにすることで、受動発光部２１の発光面に埃が付着しにくく、メンテナンスフリーな照明装置を提供することができる。
【産業上の利用可能性】
【００４８】
本発明は、一般照明などに利用可能である。
【符号の説明】
【００４９】
１          照明装置
１１        励起光源部
１２        固体光源
２１        受動発光部
２２        支柱
２３        蛍光体層
２４        導光部材
２５        拡散手段
２６        ミラー
２７        レンズカット（屈折のレンズカット）
２８        励起光入光面
２９        反射部材
３０        ハーフミラーまたはルーバー
【図１】
2012182009.tif 000003
【図２】
2012182009.tif 000004
【図３】
2012182009.tif 000005
【図４】
2012182009.tif 000006
【図５】
2012182009.tif 000007
【図６】
2012182009.tif 000008
【図７】
2012182009.tif 000009